(57)【特許請求の範囲】
【請求項１】
支柱間に取り付けられ左右方向に延びる棚板の側端部に係合孔を設け、前記棚板の側端部に取り付ける側板の下部に、前記側端部が嵌挿される前後方向に長い凹部を形成するとともに、該凹部の内面に、前記係合孔に対応する位置で突出する係止爪を形成し、該係止爪を前記係合孔に係合させることにより、前記棚板の側端に前記側板の上部部分が立設されるようにしたことを特徴とする棚板への側板取付構造。
【請求項２】
側板の凹部内に嵌挿軸部を突設し、棚板の側端部に、前記嵌挿軸部に対応する位置に嵌挿孔を穿設した請求項１記載の棚板への側板取付構造。
【請求項３】
側板の凹部内にＬ字形の傾動防止部材を突設し、棚板の側端部に前記傾動防止部材が嵌挿される複数の角形の嵌合孔を設けた請求項１または２記載の棚板への側板取付構造。
【請求項４】
側板の凹部を構成する壁部と係止爪、または傾動防止部材との間に、棚板の側端部を挟んで保持する間隙を形成した請求項１〜３のいずれかに記載の棚板への側板取付構造。
【請求項５】
棚板上に立設される側板の上部部分にバー保持部を形成し、ストップバーの左右端部を前記バー保持部に保持させるようにした請求項１〜４のいずれかに記載の棚板への側板取付構造。
【請求項６】
バー保持部を複数位置に形成し、ストップバーの前後配置位置及び配置本数を変更可能とした請求項５記載の棚板への側板取付構造。
【発明の詳細な説明】
【０００１】
【発明の属する技術分野】
本発明は、机や書架等に取り付けられる棚板への側板取付構造に関する。
【０００２】
【従来の技術】
従来のこの種の側板は、棚板の左右端に、この棚板を支持するとともに、支柱に係止するブラケットとして構成されるか、または、特許公報第２７８９８２３号に示されるように、支柱またはパネル(６)に爪部(12)により係止し、両面を樹脂製カバー(２)(３)により被覆された２つの側壁体(４)(４)の間に、棚板(５)を載置するように構成されている。
【０００３】
【発明が解決しようとする課題】
前者では、ブラケットが金属のままであるので、棚板の載置物を傷つけたり、使用者に不測の怪我等を負わせる恐れがある。そのため、ブラケットとして、強度上及び安全上板厚の厚いものを使用することとなり、全体として製品が重くなる欠点を有する。また、このブラケットに載置される棚板は、側端面がそのまま外部に露出するため、棚板側端面の仕上げを、丁寧に、かつ安全性にも留意して行わなければならず、そのためにも製品のコストが高くなっていた。
後者では、側壁体(４)の心材(１)が金属板で、その両面の樹脂製カバー(２)(３)がはずれると、金属板が露出して使用者を怪我させる恐れがあり、かつ、カバーが表裏２枚あるので、装着に手間がかかり、製作上のコストが高くなるという欠点がある。
【０００４】
本発明は、上述の問題点に鑑み、棚板の側端部に、載置物の落下を防止するとともに、この側端面を被覆して露出させず、かつ安全性を高めるようにして、側板を取り付ける側板取付構造を提供することを目的としている。
【０００５】
【課題を解決するための手段】
本発明によると、上記課題は、次のようにして解決される。
(１) 支柱間に取り付けられ左右方向に延びる棚板の側端部に係合孔を設け、前記棚板の側端部に取り付ける側板の下部に、前記側端部が嵌挿される前後方向に長い凹部を形成するとともに、該凹部の内面に、前記係合孔に対応する位置で突出する係止爪を形成し、該係止爪を前記係合孔に係合させることにより、前記棚板の側端に前記側板の上部部分が立設されるようにする。
【０００６】
(２) 上記(１)項において、側板の凹部内に嵌挿軸部を突設し、棚板の側端部に、前記嵌挿軸部に対応する位置に嵌挿孔を穿設する。
【０００７】
(３) 上記(１)または(２)項において、側板の凹部内にＬ字形の傾動防止部材を突設し、棚板の側端部に前記傾動防止部材が嵌挿される複数の角形の嵌合孔を設ける。
【０００８】
(４) 上記(１)〜(３)項のいずれかにおいて、側板の凹部を構成する壁部と係止爪、または傾動防止部材との間に、棚板の側端部を挟んで保持する間隙を形成する。
【０００９】
(５) 上記(１)〜(４)項のいずれかにおいて、棚板上に立設される側板の上部部分にバー保持部を形成し、ストップバーの左右端部を前記バー保持部に保持させるようにする。
【００１０】
(６) 上記(５)項において、バー保持部を複数位置に形成し、ストップバーの前後配置位置及び配置本数を変更可能とする。
【００１１】
【発明の実施の形態】
図１は、本発明に係る側板取付構造を、机(Ａ)の後部に立設した左右１対の支柱(１)に取り付けた棚板(２)に適用した実施形態を示している。
棚板(２)は、例えば支柱(１)の前面に穿設された一連の係止孔に、係止爪を引っかけて取り付けた左右１対のブラケット(３)に掛け渡されており、この棚板(２)の両側端部を、側板(４)により覆っている。
【００１２】
棚板(２)は、鋼板製のもので、１枚の平坦な鋼板の前後縁部を折り曲げて、裏面に図９に示す断面略コ字状に折り曲げて形成した鋼板製の補強材(５)を左右方向全長に亘って溶接し、左右両側縁部には、若干内方に窪んだ位置に側面部(６)（図２参照）が形成されている。
【００１３】
図８に示すように、側面部(６)を構成する鋼製の板片には、その前後両端近くの部分及び中央部の上部に、角形の係合孔(７)が穿設されている。また、前後両端部の係合孔(７)の内側には、係合孔(７)よりも小さい角形の嵌合孔(８)が、上下部に対向して１対ずつ穿設されている。
さらに、これら嵌合孔(８)よりも更に内側には、円形の嵌挿孔(９)が穿設されている。
【００１４】
合成樹脂材料の一体成形物である側板(４)の下部には、図３に示すように、凹部(10)が、棚板(２)の側端の形状と概ね同じでこれを嵌挿する大きさに形成されている。
【００１５】
凹部(10)には、図３、図４及び図５に示す係止爪(11)が、前述の棚板(２)の側面部(６)の係止孔(７)に対応する３つの位置において内方に突出して設けられている。また、Ｌ字形の傾動防止部材(12)（図３、図４及び図６参照）が、角形の嵌合孔(８)に対応する４つの位置において内方に突出して設けられ、さらに、嵌挿軸部(13)（図３、図４及び図７参照）が、嵌挿孔(９)に対応する２つの位置において内方に突出して設けられている。なお、図３に示す符号(14)は、凹部(10)を補強する上下方向のリブを示す。
【００１６】
側板(４)の上部には、その内側に前部に１本、中間部に２本、後部に１本の溝からなるバー保持部が形成されている。
前部の溝すなわちバー保持部(15)は、前方に傾斜しており、ここにストップバー(16)（図１参照）を左右方向に保持させて、載置物が棚板(４)から前方に落下するのを防止している。
【００１７】
中間部の２本のバー保持部(17)(17)は、後方に傾斜した溝からなり、ＣＤーＲＯＭやフロッピーディスクの後端を支えるストップバーを保持させる個所である。また、後部の２本のバー保持部(18)(18)は、後方に傾斜した溝からなり、Ａ４版のファイル、書籍等の後端を支えるストップバーを保持させるところである。
【００１８】
側板(４)の取り付けに当たっては、側板(４)を図２の矢印に示すように、その凹部(10)を棚板(２)の側端に嵌挿する。すると、まずＬ字形の嵌挿軸(12)が角形の嵌挿孔(８)の角部に当接して嵌挿され、側板(４)を棚板(２)の凹部(10)に対して位置決めし、かつ傾動防止の役を果たす。
【００１９】
ついで、側板(４)の係止爪(11)が、対応する係止孔(７)に入ってゆき、その爪が側面部(６)の鋼板の裏に引っかかり、これにより側板(４)が棚板(２)に係止される。
【００２０】
図５に示すように、内方に突出する係止爪(11)と凹部(10)を形成する上部突出壁(10a)との間には、比較的狭い間隙(19)が形成されており、ここに棚板(２)の側端部が嵌挿されて保持される。
また、図６に示すように、内方に突出する上下部の傾動防止部材(12)と凹部(10)を形成する上下部突出壁(10a)(10b)との間にも、それぞれ比較的狭い間隙(19)が形成されており、ここに棚板(２)の側端部が嵌挿されて保持される。
【００２１】
側板(４)の嵌挿軸部(13)の先端は、嵌挿孔(９)に整合して鋼板外面に当接する関係にあり、必要に応じて、この嵌挿軸部(13)を覆う薄肉部分を突き破って、ねじ（図示せず）を嵌挿軸部(13)から嵌挿孔(９)へねじ込んで、側板(４)を棚板(２)に止め付けることもできる。
【００２２】
【発明の効果】
請求項１記載の発明によれば、側板は、棚板の側端部に嵌挿されて一体に覆い、棚板に支持されるので、強度的に強く、側板側面に棚板上の書類等の負荷がかかっても、丈夫で安心して使用することができる。また、側板は、棚板に対して直角に取り付けられるので、書類などが側板に沿って置かれた場合も、書類と側板との間に隙間等が生ずることがなく、棚板と側板の美観が向上する。
【００２３】
請求項２記載の発明によると、側板の嵌挿軸部と、棚板の嵌挿孔とに、ねじを止め付けることにより側板を棚板に固着させることができる。
【００２４】
請求項３記載の発明によると、側板の取り付けに当たって、まず側板を棚板の凹部に対して位置決めし、かつ傾動防止の役を果たすことができる。
【００２５】
請求項４記載の発明によると、側板は、棚板の側端部を挟んで強固に保持し、かつ、外力に対し側板が変形したり、棚板から脱落したりすることがなく、しかも棚板は美観よく組み立てられる。
【００２６】
請求項５記載の発明によると、ストップバーにより棚板上の載置物の前後移動ないしは落下を防止することができる。
【００２７】
請求項６記載の発明によると、載置した書類等の落下や書類やＣＤ−ＲＯＭ、フロッピーディスク等の大きさに合わせた奥行きにストップバーを配置することができる。
【図面の簡単な説明】
【図１】本発明に係る側板取付構造を実施した棚板を備える机の斜視図である。
【図２】同じく、棚板と側板とを分解して示す斜視図である。
【図３】側板を内側から見た拡大側面図である。
【図４】図３のIV−IV線に沿う拡大断面図である。
【図５】図３のＶ−Ｖ線に沿う拡大断面図である。
【図６】図３のVI−VI線に沿う拡大断面図である。
【図７】図３のVII−VII線に沿う拡大断面図である。
【図８】棚板の拡大側面図である。
【図９】組み立てた状態の棚板と側板との部分拡大裏面図である。
【符号の説明】
(Ａ)机
(１)支柱
(２)棚板
(３)ブラケット
(４)側板
(５)補強材
(６)側面部
(７)係合孔
(８)嵌合孔
(９)嵌挿孔
(10)凹部
(10a)上部突出壁
(10b)下部突出壁
(11)係止爪
(12)傾動防止部材
(13)嵌挿軸部
(14)リブ
(15)バー保持部
(16)ストップバー
(17)(18)バー保持部
(19)間隙
【図１】
0004358360.tif 000002
【図２】
0004358360.tif 000003
【図３】
0004358360.tif 000004
【図４】
0004358360.tif 000005
【図５】
0004358360.tif 000006
【図６】
0004358360.tif 000007
【図７】
0004358360.tif 000008
【図８】
0004358360.tif 000009
【図９】
0004358360.tif 000010